(57)【要約】【課題】  網状体で前後左右の壁面および底面を形成し上方が開口したごみ回収容器において、自立性があり、かつ、自立状態における安定性が高く、風その他の力により転倒したり、飛ばされにくくする【解決手段】  軟質な網状体で前後左右の壁面および底面を形成した上方が開口したごみ回収容器において、網状体をポリエチレンテレフタレート樹脂の糸で形成し、壁面の底辺にはおもりを屈曲可能に設け、前後左右の壁面の対向する二つの隅角部のいずれか一方に前記おもりに達する支柱をそれぞれ設ける。【選択図】  図１
2006124128.tif 000002
【特許請求の範囲】
【請求項１】
軟質な網状体で前後左右の壁面および底面を形成し、上方が開口したものにおいて、網状体をポリエチレンテレフタレート樹脂の糸で形成し、前後左右の壁面の底辺にはおもりを屈曲可能に設け、前後左右の壁面の対向する二つの隅角部のいずれか一方のそれぞれに前記おもりに達する支柱を設けた自立型ごみ回収容器。
【請求項２】
網状体を形成するポリエチレンテレフタレート樹脂の糸に、使用済みペットボトル１００％使用の再生樹脂を使用した請求項１に記載の自立型ごみ回収容器。
【請求項３】
底部のおもり、および、支柱部にパイピイング処理を施した請求項１または請求項２のいずれかに記載の自立型ごみ回収容器。
【請求項４】
壁面の底辺に屈曲可能に設けるおもりが、ポリエステル、ポリエチレンクロスなどで被覆したチェーン、被覆鉛線入りロープ、所定長さに切断し被覆した鉄線のいずれかである請求項１から請求項３のいずれかに記載の自立型ごみ回収容器。
【請求項５】
上方の開口部口縁に口紐を備えた請求項１から請求項４のいずれかに記載の自立型ごみ回収容器。
【発明の詳細な説明】
【技術分野】
【０００１】
本発明は、町内のゴミ集積場所、カン飲料やビン飲料の自動販売機近傍などに設置してペットボトルや空き缶等のごみの回収するのに最適な自立型ごみ回収容器に関するものである。
【背景技術】
【０００２】
従来、この種のごみ回収容器としては、硬質の合成樹脂製回収箱が知られている。しかし、合成樹脂製回収箱は、町内のゴミ集積場所に設置するには不適当である。町内のゴミ集積場所の多くは路上に定められており、ごみ回収日が定められていること、合成樹脂製回収箱は、単価が高く、使用後の清掃に手間がかかるだけでなく、保管に相当のスペースが必要なことがその理由である。
【０００３】
そこで、軟質なシート或いは網状体で前後左右の壁面および底面を形成し、上方が開口したごみ回収容器が種々提案されている。この種のごみ回収容器は、ゴミ集積場所などに設置して使用に供するまでは折り畳むなどすることができるので保管に便宜である。しかし、この種のごみ回収容器においては、ゴミ集積場所などに設置して使用に供するときは、上方が開口した状態で自立することが必要であり、かつ、自立状態が安定であって、空ペットボトル、空き缶、空きビンその他のごみが投入される以前に、或いは、空ペットボトル、空き缶、空きビンその他のごみを投入し回収する前に、風その他の力により転倒したり、或いは、飛ばされないものであることが必要である。
【０００４】
この種のごみ回収容器の一例として、実用新案登録第２５３１２３０号公報に記載のものがある。このごみ回収容器は、前後左右の壁面の上縁に個別に芯材を設けるとともにその四隅にそれぞれ支柱を設けたものである。
【０００５】
しかし、実用新案登録第２５３１２３０号のごみ回収容器は、壁面の上縁に芯材を設けるために、バランスが悪く、使用に供するため設置した際や設置して使用している際に、風その他の力により転倒したり、飛ばされやすく、安定した自立を得ることが難しい。また、芯材の境目から折り畳み、積み重ねて保管するとしても、かなりの保管スペースを必要とするばかりか、使用する際に、上方が開口した状態で自立させるためには、折り畳んだものを芯材の境目から広げ、再度広げて開口した状態として設置する必要があり、不便であった。
【特許文献１】実用新案登録第２５３１２３０号公報（実用新案登録請求の範囲、図１、図２、図４）
【発明の開示】
【発明が解決しようとする課題】
【０００６】
そこで、本発明は、軟質なシート或いは網状体で前後左右の壁面および底面を形成し、上方が開口したごみ回収容器において、自立性があり、かつ、自立状態における安定性が高く、風その他の力により転倒したり、飛ばされにくく、折り畳むなどして保管している状態から上方を開口した設置ないし使用状態への移行、逆に、上方を開口した設置ないし使用状態から折り畳むなどして保管する状態への移行がほとんど手間を要せずに容易に行えるようにすることを目的とするものである。
【課題を解決するための手段】
【０００７】
上記課題を解決するための本発明の構成は、軟質な網状体で前後左右の壁面および底面を形成した上方が開口したごみ回収容器において、網状体をポリエチレンテレフタレート樹脂の糸で形成し、壁面の底辺にはおもりを屈曲可能に設け、前後左右の壁面の対向する二つの隅角部のいずれか一方に前記おもりに達する支柱をそれぞれ設けたものである。
【０００８】
また、本発明は、自立状態における高い安定性を実現するとともに環境問題に配慮し、網状体を形成するポリエチレンテレフタレート樹脂の糸に、使用済みペットボトル１００％使用の再生樹脂を使用することができる。
【０００９】
また、本発明は、底部および支柱部の擦れを防ぎ、安全性と耐久性を高めるために、ポリエチレンクロスなどで、底部のおもり、および、支柱にパイピイング処理を施すことができる。
【００１０】
また、本発明は、壁面の底辺に屈曲可能に設けるおもりとして、ポリエステル、ポリエチレンクロスなどで被覆したチェーン、被覆鉛線入りロープ、所定長さに切断し被覆した鉄線を使用することができる。
【００１１】
そして、本発明は、ごみの散逸防止とごみ回収作業の便宜を考慮して、上方の開口部口縁に口紐を挿通することができる。
【発明の効果】
【００１２】
本発明は、上記の通り、網状体をポリエチレンテレフタレート樹脂の糸で形成し、壁面の底辺にはおもりを屈曲可能に設け、前後左右の壁面の対向する二つの隅角部のいずれか一方に前記おもりに達する支柱をそれぞれ設けたたから、ゴミ集積場所などに設置して使用に供するときには上方が開口した状態で自立し、空ペットボトル、空き缶、空きビンその他のごみが投入される以前に、或いは、空ペットボトル、空き缶、空きビンその他のごみを投入し回収する前に、風その他の力により転倒したり、或いは、飛ばされない程度に安定した自立状態を得ることができ、空ペットボトル、空き缶、空きビンその他のごみ回収後の清掃も水洗いだけで行うことができる。保管に際しては、壁面の底辺のおもりが屈曲可能であるから、底面を内側に折り込み、左右の壁面を内側に二つ折りして支柱を備えた隅角部と支柱を備えない隅角部を重ね合わせ、必要があれば、さらに中央部において折り返して重ね合わせ、自立したごみ回収容器の上方開口部より適宜挿入して収納すればよく、その作業は簡便である。また、収納したごみ回収容器の再度の使用は、前後の壁面をそれぞれ離隔する方向に動かすだけで上方が開口し、自立する状態となるのですこぶる簡単である。しかも、構造が簡単で安価に提供するすることができるなどの優れた効果が期待できる。
【実施例】
【００１３】
以下、 図１及び図２を参照して，本発明の実施の一形態を説明する。
【００１４】
図示の実施形態は、自立性と自立の安定性を実現するとともに環境問題に配慮し、使用済みペットボトル１００％使用の再生ポリエチレンテレフタレート樹脂の糸を使用している。糸太さは、３３３デシテックス、目合４ｍｍである。この糸で網状体を形成し、この網状体で前後の壁面１、１、左右の壁面２、２、および、底面３を備え、上部が開口した容器本体を形成する。前後の壁面１、１、および、左右の壁面２、２の底辺の外面には、ポリエステル被覆鉛線入りロープ４がおもりとして取り付けてある。おもりは、屈曲自在なものであれば、ポリエステル被覆鉛線入りロープ４に限らず、例えば、ポリエステル、ポリエチレンクロスなどで被覆したチェーン、所定長さに切断して屈曲自在に接続した鉄線をポリエステル、ポリエチレンクロスなどで被覆したものなど、適宜のものを用いることができる。前の壁面１と左の壁面２とで形成される隅角部５と、この隅角部５と対向する後の壁面１と右の壁面２とで形成される隅角部６には、ポリエチレンクロス製の袋体７、７を縫着し、袋体７、７にはガラス繊維強化プラスチックのポールを支柱として密封してある。支柱は、隅角部５、６の上部から鉛線入りロープ４までの長さとし、支柱とおもりとの隙間をなくし、自立の安定性を確かなものとしている。前の壁面１と右の壁面２とで形成される隅角部と、後の壁面１と左の壁面２とで形成される隅角部には、袋体７、７を縫着せず、支柱も取り付けない。支柱は、ガラス繊維強化プラスチックのポールを例示したが、それ以外に、例えば、剛性のあるプラスチック製パイプ、金属製パイプ、金属棒などを用いることができる。容器本体上方の開口部口縁は袋状に縫製し、ポリエチレンロープの口紐８を挿通してある。
【００１５】
上記のごみ回収容器を、図１に示した通り、上部が開口した状態でゴミ集積場所などの地上に設置すると、前後左右の壁面１、１、２、２、および、底面３をポリエチレンテレフタレート樹脂の網状体で形成してあるので、その剛性でかなりの自立力があるのに加えて、前後左右の壁面１、１、２、２の対向する二つの隅角部５、６にそれぞれ袋体７、７に密封した支柱を備えているので、前後左右の壁面１、１、２、２が弛むことなく確りと自立する。そして、壁面１、１、２、２の底辺にはおもりを屈曲可能に設け、前後左右の壁面１、１、２、２の対向する二つの隅角部５、６のいずれか一方に前記おもりに達する支柱を設けたたから、空ペットボトル、空き缶、空きビンその他のごみが投入される以前に、或いは、空ペットボトル、空き缶、空きビンその他のごみを投入した後に、風その他の力により転倒したり、或いは、飛ばされることほとんどなく、安定した自立状態を得ることができる。
【００１６】
投入されたごみで一杯となれば、口紐８を絞って開口部を閉ざし、或いは、絞れば、ごみ回収作業前に、投入したごみが散逸することがないので清潔を保てる。
【００１７】
ごみ回収後の清掃も、壁面１、１、２、２と底面３が網状体であるから水洗いだけで簡単に行うことができる。
【００１８】
ごみ回収後、上記のごみ回収容器を保管する場合には、底面３を内側に折り込み、左右の壁面２、２を内側に二つ折りして支柱を備えた隅角部５、６と支柱を備えない隅角部を重ね合わせ、必要があれば、さらに中央部において折り返して重ね合わせて折り畳み（図２参照）、自立したごみ回収容器の上方開口部より適宜挿入して収納すればよく、その作業は簡便である。
【００１９】
こうして収納したごみ回収容器の再度の使用は、前後の壁面１、１をそれぞれ離隔する方向に動かすだけで上方が開口し、自立する状態となるのですこぶる簡単である。
【図面の簡単な説明】
【００２０】
【図１】本発明の実施の１形態の自立型ごみ回収容器の上部が開口した状態の斜視図である。
【図２】図１の自立型ごみ回収容器の折り畳んだ状態の斜視図である。
【符号の説明】
【００２１】
１    前後の壁面
２    左右の壁面
３    底面
４    ポリエステル被覆鉛線入りロープ
５    隅角部
６    隅角部
７    袋体
８    口紐
【図１】
2006124128.tif 000003
【図２】
2006124128.tif 000004